(57)【特許請求の範囲】
【請求項１】
パケット交換網に接続するとともに、ＩＴＵ−Ｔ勧告Ｔ．３８に準拠したＵＤＰモードのファクシミリ通信機能を備えた通信端末装置の伝送制御方法において、
ファクシミリの着信を検出した際、自端末の通信バッファサイズを相手端末へ通知する一方、
ファクシミリの送信を行う際、相手端末より通信バッファサイズが通知された場合、送信する画情報の線密度、原稿サイズ及び画質情報のうち少なくともいずれかを用いて算出したデータ量が前記通知された通信バッファサイズよりも小さく、かつ、前記算出したデータ量と前記通信バッファサイズとの差分が所定値よりも大きい場合には、前記画情報の送信速度を低く設定することを特徴とする通信端末装置の伝送制御方法。
【請求項２】
前記算出したデータ量が前記通知された通信バッファサイズよりも小さい場合、前記算出したデータ量と前記通信バッファサイズとの差分を複数の段階に分類し、その分類に対応して通信速度を設定することを特徴とする請求項１記載の通信端末装置の伝送制御方法。
【請求項３】
送信データ量が前記算出したデータ量を超えると、データ転送を終了し、送信データ量をクリアした状態で、残りのデータのデータ転送を行うことを特徴とする請求項１又は２に記載の通信端末装置の伝送制御方法。
【請求項４】
送信データ量が前記算出したデータ量を超えると、データ転送を終了し、送信データ量をクリアし、所定時間の遅延を実施した後に、残りのデータのデータ転送を行うことを特徴とする請求項１又は２に記載の通信端末装置の伝送制御方法。
【請求項５】
送信データ量が前記算出したデータ量を超えるときには、前記算出したデータ量に対応したデータ量の送信のたびに、所定の遅延時間を発生することを特徴とする請求項１記載の通信端末装置の伝送制御方法。
【請求項６】
パケット交換網に接続するとともに、ＩＴＵ−Ｔ勧告Ｔ．３８に準拠したＵＤＰモードのファクシミリ通信機能を備えた通信端末装置において、
ファクシミリの着信を検出した際、自端末の通信バッファサイズを相手端末へ通知する通知手段と、
ファクシミリの送信を行う際、相手端末より通信バッファサイズが通知された場合、送信する画情報の線密度、原稿サイズ及び画質情報のうち少なくともいずれかを用いて算出したデータ量が前記通知された通信バッファサイズよりも小さく、かつ、前記算出したデータ量と前記通信バッファサイズとの差分が所定値よりも大きい場合には、前記画情報の送信速度を低く設定する送信速度設定手段とを備えたことを特徴とする通信端末装置。
【請求項７】
前記算出したデータ量が前記通知された通信バッファサイズよりも小さい場合、前記算出したデータ量と前記通信バッファサイズとの差分を複数の段階に分類し、その分類に対応して通信速度を設定することを特徴とする請求項６記載の通信端末装置。
【請求項８】
送信データ量が前記算出したデータ量を超えると、データ転送を終了し、送信データ量をクリアした状態で、残りのデータのデータ転送を行うことを特徴とする請求項６又は７に記載の通信端末装置。
【請求項９】
送信データ量が前記算出したデータ量を超えると、データ転送を終了し、送信データ量をクリアし、所定時間の遅延を実施した後に、残りのデータのデータ転送を行うことを特徴とする請求項６又は７に記載の通信端末装置。
【請求項１０】
送信データ量が前記算出したデータ量を超えるときには、前記算出したデータ量に対応したデータ量の送信のたびに、所定の遅延時間を発生することを特徴とする請求項６記載の通信端末装置。
【発明の詳細な説明】
【０００１】
【発明の属する技術分野】
本発明は、パケット交換網に接続するとともに、ＩＴＵ−Ｔ勧告Ｔ．３８に準拠したＵＤＰモードのファクシミリ通信機能を備えた通信端末装置の伝送制御方法及び通信端末装置に関する。
【０００２】
【従来の技術】
近年、インターネットを用いてファクシミリ通信するための通信規格として、ＩＴＵ−Ｔ勧告Ｔ．３８が作成された。この勧告Ｔ．３８では、パケット交換網として機能するインターネットを用いて、擬似的なリアルタイム通信を可能とするプロトコルが定められており、基本的には、アナログ交換網に接続されたグループ３ファクシミリ装置について、ゲートウェイ機能を提供するインターネットファクシミリ装置に適用されるものである。
【０００３】
また、このインターネットファクシミリ装置に、ファクシミリ装置機能を実装することで、インターネットファクシミリ装置間で勧告Ｔ．３８を適用したファクシミリ通信を行うことも可能である。
【０００４】
ここで、以下の記述においては、勧告Ｔ．３８の通信機能を備えたファクシミリ装置などの通信端末装置を、Ｔ．３８端末装置と称する。そして、Ｔ．３８端末装置の相互間のデータ通信は、間に介在するパケット交換網のデータ転送速度で行うことができるので、高速なデータ通信が可能となる。
【０００５】
さて、この勧告Ｔ．３８によれば、データ転送時の動作モードとして、ＴＣＰ（Ｔｒａｎｓｍｉｓｓｉｏｎ  Ｃｏｎｔｒｏｌ  Ｐｒｏｔｏｃｏｌ）モードと、ＵＤＰ（Ｕｓｅｒ  Ｄａｔａｇｒａｍ  Ｐｒｏｔｏｃｏｌ）モードの２つの通信モードが設けられており、Ｔ．３８端末装置は、通信開始時にいずれかの動作モードを選択することができる。
【０００６】
ＴＣＰモードでは、トランスミッションレイヤでのフロー制御動作が機能するので、信頼性の高いデータ通信が可能となる長所がある一方、フロー制御動作のための処理のために通信速度が遅くなるという短所がある。
【０００７】
また、ＵＤＰモードでは、フロー制御動作を行わないために通信速度を向上できるという長所がある一方、受信側でデータの取りこぼしが出る可能性があり、データ転送の信頼性が悪いという短所がある。
【０００８】
【発明が解決しようとする課題】
また、このＴ．３８端末装置をローカル・エリア・ネットワークに接続した場合、バースト転送モードを適用し、使用可能な最大データ転送速度で画情報を転送することができ、その場合、データ通信時間を大幅に短縮することが期待されるが、画情報のように比較的データ量の大きいデータファイルをバースト転送モードで送信すると、ローカル・エリア・ネットワークにおける通信の負荷が増大し、他の通信に影響を与えるという事態を生じる。
【０００９】
本発明は、かかる実情に鑑みてなされたものであり、ＵＤＰモードを用いて画情報通信を行う場合に好適な通信端末装置の伝送制御方法及び通信端末装置を提供することを目的としている。
【００１０】
【課題を解決するための手段】
本発明の通信端末装置の制御方法は、パケット交換網に接続するとともに、ＩＴＵ−Ｔ勧告Ｔ．３８に準拠したＵＤＰモードのファクシミリ通信機能を備えた通信端末装置の伝送制御方法において、ファクシミリの着信を検出した際、自端末の通信バッファサイズを相手端末へ通知する一方、ファクシミリの送信を行う際、相手端末より通信バッファサイズが通知された場合、送信する画情報の線密度、原稿サイズ及び画質情報のうち少なくともいずれかを用いて算出したデータ量が上記通知された通信バッファサイズよりも小さく、かつ、上記算出したデータ量と上記通信バッファサイズとの差分が所定値よりも大きい場合には、上記画情報の送信速度を低く設定するようにしたものである。
【００１１】
また、上記算出したデータ量が上記通知された通信バッファサイズよりも小さい場合、上記算出したデータ量と上記通信バッファサイズとの差分を複数の段階に分類し、その分類に対応して通信速度を設定するようにするとよい。
【００１２】
また、送信データ量が上記算出したデータ量を超えると、データ転送を終了し、送信データ量をクリアした状態で、残りのデータのデータ転送を行うようにするとよい。
また、送信データ量が上記算出したデータ量を超えると、データ転送を終了し、送信データ量をクリアし、所定時間の遅延を実施した後に、残りのデータのデータ転送を行わせるようにするとよい。
【００１３】
また、送信データ量が上記算出したデータ量を超えるときには、上記算出したデータ量に対応したデータ量の送信のたびに、所定の遅延時間を発生するようにするとよい。
【００１４】
また、本発明の通信端末装置は、パケット交換網に接続するとともに、ＩＴＵ−Ｔ勧告Ｔ．３８に準拠したＵＤＰモードのファクシミリ通信機能を備えた通信端末装置において、ファクシミリの着信を検出した際、自端末の通信バッファサイズを相手端末へ通知する通知手段と、ファクシミリの送信を行う際、相手端末より通信バッファサイズが通知された場合、送信する画情報の線密度、原稿サイズ及び画質情報のうち少なくともいずれかを用いて算出したデータ量が上記通知された通信バッファサイズよりも小さく、かつ、上記算出したデータ量と上記通信バッファサイズとの差分が所定値よりも大きい場合には、上記画情報の送信速度を低く設定する送信速度設定手段とを備えたものである。
また、上記算出したデータ量が上記通知された通信バッファサイズよりも小さい場合、上記算出したデータ量と上記通信バッファサイズとの差分を複数の段階に分類し、その分類に対応して通信速度を設定するようにするとよい。
また、送信データ量が上記算出したデータ量を超えると、データ転送を終了し、送信データ量をクリアした状態で、残りのデータのデータ転送を行うようにするとよい。
また、送信データ量が前記算出したデータ量を超えると、データ転送を終了し、送信データ量をクリアし、所定時間の遅延を実施した後に、残りのデータのデータ転送を行わせるとよい。
また、送信データ量が上記算出したデータ量を超えるときには、上記算出したデータ量に対応したデータ量の送信のたびに、所定の遅延時間を発生するようにするとよい。
【００２０】
【発明の実施の形態】
以下、添付図面を参照しながら、本発明の実施の形態を詳細に説明する。
【００２１】
図１は、本発明の一実施例にかかる通信システムの一例を示している。
【００２２】
同図において、この通信システムは、アナログ公衆網ＰＳＴＮ１とインターネットＩＮＥＴに接続されるとともに、グループ３ファクシミリ装置機能、ＩＴＵ−Ｔ勧告Ｔ．３０伝送機能、リアルタイムインターネットゲートウェイ装置機能、および、Ｔ．３８端末機能を備えたインターネットファクシミリ装置ＦＸ１と、アナログ公衆網ＰＳＴＮ２とインターネットＩＮＥＴに接続されるとともに、グループ３ファクシミリ装置機能、ＩＴＵ−Ｔ勧告Ｔ．３０伝送機能、および、Ｔ．３８端末機能および、リアルタイムインターネットゲートウェイ装置機能を備えたインターネットファクシミリ装置ＦＸ２からなる。
【００２３】
そして、この場合、インターネットファクシミリ装置ＦＸ１とインターネットファクシミリ装置ＦＸ２との間のファクシミリ通信は、ＩＴＵ−Ｔ勧告Ｔ．３８手順により実行される。
【００２４】
図２は、インターネットファクシミリ装置ＦＸ（ＦＸ１，ＦＸ２）の構成例を示している。
【００２５】
同図において、システム制御部１は、このインターネットファクシミリ装置ＦＸの各部の制御処理、ファクシミリ伝送制御手順（ＩＴＵ−Ｔ勧告Ｔ．３０手順）処理、および、リアルタイム伝送制御手順（ＩＴＵ−Ｔ勧告Ｔ．３８手順）処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このインターネットファクシミリ装置ＦＸに固有な各種の情報を記憶するためのものであり、時計回路４は、現在時刻情報を出力するものである。
【００２６】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００２７】
符号化復号化部８は、画信号を符号化圧縮するとともに、符号化圧縮されている画情報を元の画信号に復号化するためのものであり、この場合には、画情報受信時のエラー検出を主目的として用いられる。また、画像蓄積装置９は、符号化圧縮された状態の画情報を多数記憶するためのものである。
【００２８】
網制御装置１０は、このインターネットファクシミリ装置ＦＸを公衆電話網ＰＳＴＮに接続するためのものであり、自動発着信機能を備えている。
【００２９】
グループ３ファクシミリモデム１１は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３０】
インターネット通信制御部１２は、このインターネットファクシミリ装置ＦＸをインターネットＩＮＥＴへ接続し、インターネットＩＮＥＴを介して種々のデータをやりとりするためのものであり、ＴＣＰ／ＩＰパケット解析部１３は、ＴＣＰモード時に、インターネット通信制御部１２が受信したＴＣＰ／ＩＰパケットを解析して受信情報を取り出すためのものであり、ＵＤＰパケット解析部１４は、ＵＤＰモード時に、インターネット通信制御部１２が受信したＵＤＰパケットを解析して受信情報を取り出すためのものである。
【００３１】
グループ３プロトコル情報生成部１５は、リアルタイム伝送手順において、ＴＣＰモード時はＴＣＰ／ＩＰパケット解析部１３から出力される受信情報を対応するグループ３伝送手順信号情報に変換するとともに、ＵＤＰモード時はＵＤＰパケット解析部１４から出力される受信情報を対応するグループ３伝送手順信号情報に変換するものである。
【００３２】
グループ３プロトコル情報取出部１６は、リアルタイム伝送手順において、送信するグループ３ファクシミリ伝送手順情報を取り出すためのものであり、ＴＣＰ／ＩＰパケット変換部１７は、ＴＣＰモード時、グループ３プロトコル情報取出部１６から出力されるグループ３ファクシミリ伝送手順情報をＴＣＰ／ＩＰパケットデータへ変換するためのものであり、その出力データは、インターネット通信制御部１２へ加えられる。
【００３３】
また、ＵＤＰパケット変換部１８は、ＵＤＰモード時、グループ３プロトコル情報取出部１６から出力されるグループ３ファクシミリ伝送手順情報をＵＤＰパケットデータへ変換するためのものであり、その出力データは、インターネット通信制御部１２へ加えられる。
【００３４】
これらの、システム制御部１、システムメモリ２、パラメータメモリ３、時計回路４、スキャナ５、プロッタ６、操作表示部７、符号化復号化部８、画像蓄積装置９、網制御装置１０、グループ３ファクシミリモデム１１、グループ３プロトコル情報生成部１４、および、グループ３プロトコル情報取出部１５は、内部バス１７に接続されており、これらの各要素間でのデータのやりとりは、主としてこの内部バス１７を介して行われている。
【００３５】
また、網制御装置１０とグループ３ファクシミリモデム１１との間のデータのやりとりは、直接行なわれている。
【００３６】
図３は、Ｔ．３８端末装置間のデータ伝送手順の一例を示している。
【００３７】
まず、発側Ｔ．３８端末装置は、着側Ｔ．３８端末装置に対して呼制御用ＴＣＰチャネルを確立し、次いで、発側Ｔ．３８端末装置は、呼接続ためのパケットＳＥＴＵＰを着側Ｔ．３８端末装置へ送出する。
【００３８】
着側Ｔ．３８端末装置は、発側Ｔ．３８端末装置よりパケットＳＥＴＵＰを受信すると、パケットＣＯＮＮＥＣＴを発側Ｔ．３８端末装置へ応答し、それにより、発側Ｔ．３８端末装置と着側Ｔ．３８端末装置との間に呼が確立する。また、このパケットＳＥＴＵＰとパケットＣＯＮＮＥＣＴの交換により、使用するトランスポートのモード（ＴＣＰモードまたはＵＤＰモード）、および、使用するポート番号が設定される。
【００３９】
次いで、発側Ｔ．３８端末装置は、発側から着側へ向かうデータ用ＵＤＰチャネルを確立するとともに、着側Ｔ．３８端末装置は、着側から発側へ向かうデータ用ＵＤＰチャネルを確立し、その後、発側Ｔ．３８端末装置と着側Ｔ．３８端末装置との間とは、その確立した２本のデータ用ＵＤＰチャネルを用いて勧告Ｔ．３８手順に従ったＴ．３８セッションのデータのやりとりを開始し、画情報通信動作を実行する。
【００４０】
画情報通信が終了すると、発側Ｔ．３８端末装置は、パケットＲＥＬＥＡＳＥＣＯＭＰを着側Ｔ．３８端末装置との間へ送出し、それにより、発側Ｔ．３８端末装置と着側Ｔ．３８端末装置との間のデータ通信動作が終了する。
【００４１】
ここで、パケットＳＥＴＵＰとパケットＣＯＮＮＥＣＴは、勧告Ｔ．３８に従った情報要素を持つ。そして、パケットＣＯＮＮＥＣＴには、図４に示すような情報がＵＤＰオプション情報として含まれる。
【００４２】
これらの情報は、ｔ３８ＦａｘＵｄｐＯｐｔｉｏｎｓという１つの情報要素を構成するものであり、受信可能最大バッファサイズは、ＴＣＰモードにおける受信バッファサイズをあらわし、また、受信可能最大データグラムバッファサイズは、ＵＤＰモードにおける受信バッファサイズをあらわす。また、エラー回復方法には、冗長パケット方式またはＥＦＣ方式のいずれかの値がセットされる。
【００４３】
図５および図６は、インターネットファクシミリ装置ＦＸが他のインターネットファクシミリ装置ＦＸへ、勧告Ｔ．３８手順を用いて画情報を送信する際の処理の一例を示している。
【００４４】
まず、パケットＳＥＴＵＰを相手端末へ送出し（処理１０１）、相手端末よりパケットＣＯＮＮＥＣＴを受信する（処理１０２）。ここで、そのときの動作モードがＵＤＰモードであるかどうかを調べ（判断１０３）、判断１０３の結果がＮＯになるときには、ＴＣＰモードの通信処理を実行し（処理１０４）、この処理を終了する。
【００４５】
また、ＵＤＰモードの場合で、判断１０３の結果がＹＥＳになるときには、受信したパケットＣＯＮＮＥＣＴにより最大受信バッファサイズ（最大受信データグラムバッファサイズ）が指定されているかどうかを調べる（処理１０５、判断１０６）。
【００４６】
最大受信バッファサイズ（最大受信データグラムバッファサイズ）が指定されていない場合で、判断１０６の結果がＮＯになるときには、通常の勧告Ｔ．３８手順の画情報送信動作を行う。
【００４７】
すなわち、まず、送信する画情報のページを選択する（処理１０７）。この画情報のページ選択は、新たなページの送信時には、直前に送信した次のページを送信ページとして選択し、後述する同一ページ再送時には、直前に送信したと同一ページを送信ページとして選択する。
【００４８】
次いで、勧告Ｔ．３０に準拠したデータ転送速度で、１ページ分の画情報の送信を終了するまで、画情報の送信を行う（処理１０８、判断１０９のＮＯループ）。
【００４９】
１ページ分の画情報の送信が終了し、判断１０９の結果がＹＥＳになると、次の送信ページがあるかどうかを調べ（判断１１０）、判断１１０の結果がＹＥＳになるときには、メッセージ後信号として、信号ＭＰＳを送信し（処理１１１）、相手端末より応答信号を受信する（処理１１２）。そのときに受信した応答信号により通信エラーが通知されている場合には（判断１１３の結果がＹＥＳ）、その時点で画情報送信を強制的に終了し（処理１１４）、このときの送信動作をエラー終了する。
【００５０】
また、応答信号として信号ＭＣＦを受信した場合で正常受信が通知された場合、または、応答信号としてＲＴＮを受信した場合で同一ページの再送が要求された場合で、判断１１３の結果がＮＯになるときには、判断１０６へ戻り、次のページの送信動作、または、同一ページの再送動作を行う。
【００５１】
また、全ページの送信が終了した場合で、判断１１０の結果がＮＯになるときには、メッセージ後信号として、信号ＥＯＰを送信し（処理１１６）、相手端末より応答信号を受信する（処理１１７）。そのときに受信した応答信号が信号ＲＴＮであり、同一ページの再送が要求されている場合には（判断１１８の結果がＹＥＳ）、判断１０６へ戻り、最終ページの再送動作を行う。
【００５２】
また、応答信号として信号ＲＴＮ以外を受信した場合であり、正常受信または受信エラーが通知された場合で、判断１１８の結果がＮＯになるときには、所定の通信終了処理を行い（処理１１９）、このときの送信動作を正常終了する。
【００５３】
一方、最大受信バッファサイズ（最大受信データグラムバッファサイズ）が指定されている場合で、判断１０６の結果がＹＥＳになるときには、可能な速度でバースト転送を行う。
【００５４】
すなわち、まず、送信する画情報のページを選択する（処理１２０）。この画情報のページ選択は、新たなページの送信時には、直前に送信した次のページを送信ページとして選択し、後述する同一ページ再送時には、直前に送信したと同一ページを送信ページとして選択する。
【００５５】
次いで、相手端末より通知された最大受信データグラムバッファサイズと、特定値（後述）とを比較して、データ転送速度を決定し（処理１２１）、処理１２１で設定した速度で、１ページ分の画情報をバースト転送モードで送信する（処理１２２，判断１２３のＮＯループ）。
【００５６】
そして、１ページ分の画情報をバースト転送モードで送信終了した場合で、判断１２２の結果がＹＥＳになるときには、判断１１０へ移行し、それ以降の処理を実行する。
【００５７】
ここで、データ転送速度の変更および設定は、例えば、ＵＤＰパケット間に遅延時間を設けることで行うことができる。
【００５８】
図７は、データ転送速度の決定処理（処理１２１）の一例を示している。
【００５９】
まず、相手端末より通知された最大受信データグラムバッファサイズが、特定値よりも大きいかどうかを調べ（判断２０１）、判断２０１の結果がＹＥＳになるときには、最大受信データグラムバッファサイズと特定値との差が、所定値以上になっているかどうかを調べ（判断２０２）、判断２０２の結果がＹＥＳになるときには、データ転送速度として、インターネットＩＮＥＴを利用する際に可能な最大速度（例えば、１０ＭＢ／秒）よりも一段階小さい速度（例えば、８ＭＢ／秒）に設定し（処理２０３）、この処理を終了する。
【００６０】
また、判断２０１の結果がＮＯになる場合、または、判断２０２の結果がＮＯになる場合には、データ転送速度として、インターネットＩＮＥＴを利用する際に可能な最大速度を設定し（処理２０４）、この処理を終了する。
【００６１】
ここで、特定値としては、送信画情報の線密度（解像度）、用紙サイズ、および、画質情報のいずれか１つ、あるいは、２つ以上の組合せに基づいて、設定することができる。
【００６２】
例えば、送信原稿の解像度が４００（ドット／２４．５ｍｍ）で、用紙サイズがＡ４版で、画質情報が普通画質である場合、同じ条件の標準原稿の１ページ分の画情報のデータ量を、その特定値として設定することができる。また、上記データ量を基本値として、パケットに挿入されるヘッダ情報の情報量などを加味する等、適宜なパラメータ操作を行うようにすることで、それぞれのインターネットネットワークファクシミリ装置ＦＸの使用状況に合致した特定値を設定することができる。
【００６３】
このようにして、本実施例では、画情報送信時、相手端末より最大受信バッファサイズ（最大受信データグラムバッファサイズ）が指定されており、その最大受信データグラムバッファサイズと特定値との比較に基づいて、データ転送速度を決定し、その決定したデータ転送速度でバースト転送モードのデータ転送を行うので、送信側、受信側双方に適切なデータ転送速度で、画情報を伝送することができる。
【００６４】
また、設定するデータ転送速度としては、ネットワーク（インターネットＩＮＥＴ）を使用する際に可能な最大データ転送速度だけではなく、それよりも低速度に設定される場合もあるので、ネットワークを利用する他の通信に与える影響を極力小さくすることもできる。
【００６５】
図８は、データ転送速度の決定処理（処理１２１）の他の例を示している。
【００６６】
まず、相手端末より通知された最大受信データグラムバッファサイズが、特定値よりも大きいかどうかを調べ（判断３０１）、判断３０１の結果がＹＥＳになるときには、最大受信データグラムバッファサイズと特定値との差の値に応じて、図９に示すテーブルに従ってデータ転送速度を設定する（処理３０２）。
【００６７】
また、判断３０１の結果がＮＯになる場合には、データ転送速度として、インターネットＩＮＥＴを利用する際に可能な最大速度を設定し（処理３０３）、この処理を終了する。
【００６８】
ここで、図９のテーブルでは、最大受信データグラムバッファサイズと特定値とのサイズ差が大きくなるに従って、データ転送速度が小さくなるように、サイズ差とデータ転送速度との関係を設定している。
【００６９】
図１０および図１１は、インターネットファクシミリ装置ＦＸが他のインターネットファクシミリ装置ＦＸへ、勧告Ｔ．３８手順を用いて画情報を送信する際の処理の他の例を示している。
【００７０】
まず、パケットＳＥＴＵＰを相手端末へ送出し（処理４０１）、相手端末よりパケットＣＯＮＮＥＣＴを受信する（処理４０２）。ここで、そのときの動作モードがＵＤＰモードであるかどうかを調べ（判断４０３）、判断４０３の結果がＮＯになるときには、ＴＣＰモードの通信処理を実行し（処理４０４）、この処理を終了する。
【００７１】
また、ＵＤＰモードの場合で、判断４０３の結果がＹＥＳになるときには、受信したパケットＣＯＮＮＥＣＴにより最大受信バッファサイズ（最大受信データグラムバッファサイズ）が指定されているかどうかを調べる（処理４０５、判断４０６）。
【００７２】
最大受信バッファサイズ（最大受信データグラムバッファサイズ）が指定されていない場合で、判断４０６の結果がＮＯになるときには、通常の勧告Ｔ．３８手順の画情報送信動作を行う。
【００７３】
すなわち、まず、送信する画情報のページを選択する（処理４０７）。この画情報のページ選択は、新たなページの送信時には、直前に送信した次のページを送信ページとして選択し、後述する同一ページ再送時には、直前に送信したと同一ページを送信ページとして選択する。
【００７４】
次いで、勧告Ｔ．３０に準拠したデータ転送速度で、１ページ分の画情報の送信を終了するまで、画情報の送信を行う（処理４０８、判断４０９のＮＯループ）。
【００７５】
１ページ分の画情報の送信が終了し、判断４０９の結果がＹＥＳになると、次の送信ページがあるかどうかを調べ（判断４１０）、判断４１０の結果がＹＥＳになるときには、メッセージ後信号として、信号ＭＰＳを送信し（処理４１１）、相手端末より応答信号を受信する（処理４１２）。そのときに受信した応答信号により通信エラーが通知されている場合には（判断４１３の結果がＹＥＳ）、その時点で画情報送信を強制的に終了し（処理４１４）、このときの送信動作をエラー終了する。
【００７６】
また、応答信号として信号ＭＣＦを受信した場合で正常受信が通知された場合、または、応答信号としてＲＴＮを受信した場合で同一ページの再送が要求された場合で、判断４１３の結果がＮＯになるときには、判断４０６へ戻り、次のページの送信動作、または、同一ページの再送動作を行う。
【００７７】
また、全ページの送信が終了した場合で、判断４１０の結果がＮＯになるときには、メッセージ後信号として、信号ＥＯＰを送信し（処理４１６）、相手端末より応答信号を受信する（処理４１７）。そのときに受信した応答信号が信号ＲＴＮであり、同一ページの再送が要求されている場合には（判断４１８の結果がＹＥＳ）、判断４０６へ戻り、最終ページの再送動作を行う。
【００７８】
また、応答信号として信号ＲＴＮ以外を受信した場合であり、正常受信または受信エラーが通知された場合で、判断４１８の結果がＮＯになるときには、所定の通信終了処理を行い（処理４１９）、このときの送信動作を正常終了する。
【００７９】
一方、最大受信バッファサイズ（最大受信データグラムバッファサイズ）が指定されている場合で、判断４０６の結果がＹＥＳになるときには、可能な速度でバースト転送を行う。
【００８０】
すなわち、まず、送信する画情報のページを選択する（処理４２０）。この画情報のページ選択は、新たなページの送信時には、直前に送信した次のページを送信ページとして選択し、後述する同一ページ再送時には、直前に送信したと同一ページを送信ページとして選択する。
【００８１】
次いで、相手端末より通知された最大受信データグラムバッファサイズと、特定値（後述）とを比較して、データ転送速度を決定するとともに、フラグのセット／リセットの制御を行い（処理４２１）、処理４２１で設定した速度で、画情報をバースト転送モードで送信しながら、１ページ分のデータ転送が終了するか、あるいは、処理４２１で制御するフラグがセットされている場合で送信データ量が特定値（特定サイズ）に達することを監視している（処理４２２，判断４２３，４２４のＮＯループ）。
【００８２】
１ページ分のデータ転送の途中で、送信データ量が特定値に達し、そのときにフラグがセットされている場合で、判断４２４の結果がＹＥＳになるときには、一旦データ転送を終了し、送信データ量をクリアした状態で（処理４２５）、処理４２２へ戻り、残りのデータのデータ転送を行う。
【００８３】
また、１ページ分の画情報をバースト転送モードで送信終了した場合で、判断４２３の結果がＹＥＳになるときには、判断４１０へ移行し、それ以降の処理を実行する。
【００８４】
ここで、データ転送速度の変更および設定は、例えば、ＵＤＰパケット間に遅延時間を設けることで行うことができる。
【００８５】
図１２は、データ転送速度の決定処理（処理４２１）の一例を示している。
【００８６】
まず、相手端末より通知された最大受信データグラムバッファサイズが、特定値よりも大きいかどうかを調べ（判断５０１）、判断５０１の結果がＹＥＳになるときには、最大受信データグラムバッファサイズと特定値との差が、所定値以上になっているかどうかを調べ（判断５０２）、判断５０２の結果がＹＥＳになるときには、フラグをセットするとともに（処理５０３）、データ転送速度として、インターネットＩＮＥＴを利用する際に可能な最大速度（例えば、１０ＭＢ／秒）よりも一段階小さい速度（例えば、８ＭＢ／秒）に設定し（処理５０４）、この処理を終了する。
【００８７】
また、判断５０１の結果がＮＯになる場合、または、判断５０２の結果がＮＯになる場合には、データ転送速度として、インターネットＩＮＥＴを利用する際に可能な最大速度を設定し（処理５０５）、この処理を終了する。
【００８８】
図１３は、データ転送速度の決定の処理（処理４２１）の他の例を示している。
【００８９】
まず、相手端末より通知された最大受信データグラムバッファサイズが、特定値よりも大きいかどうかを調べ（判断６０１）、判断６０１の結果がＹＥＳになるときには、フラグをセットするとともに（処理６０２）、最大受信データグラムバッファサイズと特定値との差の値に応じて、上述した図９に示すテーブルに従ってデータ転送速度を設定する（処理６０２）。
【００９０】
また、判断６０１の結果がＮＯになる場合には、データ転送速度として、インターネットＩＮＥＴを利用する際に可能な最大速度を設定し（処理６０４）、この処理を終了する。
【００９１】
このようにして、本実施例では、画情報送信時、相手端末より最大受信バッファサイズ（最大受信データグラムバッファサイズ）が指定されており、その最大受信データグラムバッファサイズと特定値との比較に基づいて、データ転送速度を決定し、その決定したデータ転送速度でバースト転送モードのデータ転送を行うので、送信側、受信側双方に適切なデータ転送速度で、画情報を伝送することができる。
【００９２】
また、設定するデータ転送速度としては、ネットワーク（インターネットＩＮＥＴ）を使用する際に可能な最大データ転送速度だけではなく、それよりも低速度に設定される場合もあるので、ネットワークを利用する他の通信に与える影響を極力小さくすることもできる。
【００９３】
図１４および図１５は、インターネットファクシミリ装置ＦＸが他のインターネットファクシミリ装置ＦＸへ、勧告Ｔ．３８手順を用いて画情報を送信する際の処理のさらに他の例を示している。
【００９４】
まず、パケットＳＥＴＵＰを相手端末へ送出し（処理７０１）、相手端末よりパケットＣＯＮＮＥＣＴを受信する（処理７０２）。ここで、そのときの動作モードがＵＤＰモードであるかどうかを調べ（判断７０３）、判断７０３の結果がＮＯになるときには、ＴＣＰモードの通信処理を実行し（処理７０４）、この処理を終了する。
【００９５】
また、ＵＤＰモードの場合で、判断７０３の結果がＹＥＳになるときには、受信したパケットＣＯＮＮＥＣＴにより最大受信バッファサイズ（最大受信データグラムバッファサイズ）が指定されているかどうかを調べる（処理７０５、判断７０６）。
【００９６】
最大受信バッファサイズ（最大受信データグラムバッファサイズ）が指定されていない場合で、判断７０６の結果がＮＯになるときには、通常の勧告Ｔ．３８手順の画情報送信動作を行う。
【００９７】
すなわち、まず、送信する画情報のページを選択する（処理７０７）。この画情報のページ選択は、新たなページの送信時には、直前に送信した次のページを送信ページとして選択し、後述する同一ページ再送時には、直前に送信したと同一ページを送信ページとして選択する。
【００９８】
次いで、勧告Ｔ．３０に準拠したデータ転送速度で、１ページ分の画情報の送信を終了するまで、画情報の送信を行う（処理７０８、判断７０９のＮＯループ）。
【００９９】
１ページ分の画情報の送信が終了し、判断７０９の結果がＹＥＳになると、次の送信ページがあるかどうかを調べ（判断７１０）、判断７１０の結果がＹＥＳになるときには、メッセージ後信号として、信号ＭＰＳを送信し（処理７１１）、相手端末より応答信号を受信する（処理７１２）。そのときに受信した応答信号により通信エラーが通知されている場合には（判断７１３の結果がＹＥＳ）、その時点で画情報送信を強制的に終了し（処理７１４）、このときの送信動作をエラー終了する。
【０１００】
また、応答信号として信号ＭＣＦを受信した場合で正常受信が通知された場合、または、応答信号としてＲＴＮを受信した場合で同一ページの再送が要求された場合で、判断７１３の結果がＮＯになるときには、判断７０６へ戻り、次のページの送信動作、または、同一ページの再送動作を行う。
【０１０１】
また、全ページの送信が終了した場合で、判断７１０の結果がＮＯになるときには、メッセージ後信号として、信号ＥＯＰを送信し（処理７１６）、相手端末より応答信号を受信する（処理７１７）。そのときに受信した応答信号が信号ＲＴＮであり、同一ページの再送が要求されている場合には（判断７１８の結果がＹＥＳ）、判断７０６へ戻り、最終ページの再送動作を行う。
【０１０２】
また、応答信号として信号ＲＴＮ以外を受信した場合であり、正常受信または受信エラーが通知された場合で、判断７１８の結果がＮＯになるときには、所定の通信終了処理を行い（処理７１９）、このときの送信動作を正常終了する。
【０１０３】
一方、最大受信バッファサイズ（最大受信データグラムバッファサイズ）が指定されている場合で、判断７０６の結果がＹＥＳになるときには、可能な速度でバースト転送を行う。
【０１０４】
すなわち、まず、送信する画情報のページを選択する（処理７２０）。この画情報のページ選択は、新たなページの送信時には、直前に送信した次のページを送信ページとして選択し、後述する同一ページ再送時には、直前に送信したと同一ページを送信ページとして選択する。
【０１０５】
次いで、図１２または図１３に示した処理を行って、データ転送速度を決定するとともに、フラグのセット／リセットの制御を行い（処理７２１）、処理７２１で設定した速度で、画情報をバースト転送モードで送信しながら、１ページ分のデータ転送が終了するか、あるいは、処理７２１で制御するフラグがセットされている場合で送信データ量が特定値（特定サイズ）に達することを監視している（処理７２２，判断７２３，７２４のＮＯループ）。
【０１０６】
１ページ分のデータ転送の途中で、送信データ量が特定値に達し、そのときにフラグがセットされている場合で、判断７２４の結果がＹＥＳになるときには、一旦データ転送を終了し、送信データ量をクリアし（処理７２５）、所定時間の遅延を実施した後に（処理７２６）、処理７２２へ戻り、残りのデータのデータ転送を行う。
【０１０７】
また、１ページ分の画情報をバースト転送モードで送信終了した場合で、判断７２３の結果がＹＥＳになるときには、判断７１０へ移行し、それ以降の処理を実行する。
【０１０８】
ここで、データ転送速度の変更および設定は、例えば、ＵＤＰパケット間に遅延時間を設けることで行うことができる。
【０１０９】
図１６および図１７は、インターネットファクシミリ装置ＦＸが他のインターネットファクシミリ装置ＦＸへ、勧告Ｔ．３８手順を用いて画情報を送信する際の処理のまたさらに他の例を示している。
【０１１０】
まず、パケットＳＥＴＵＰを相手端末へ送出し（処理８０１）、相手端末よりパケットＣＯＮＮＥＣＴを受信する（処理８０２）。ここで、そのときの動作モードがＵＤＰモードであるかどうかを調べ（判断８０３）、判断８０３の結果がＮＯになるときには、ＴＣＰモードの通信処理を実行し（処理８０４）、この処理を終了する。
【０１１１】
また、ＵＤＰモードの場合で、判断８０３の結果がＹＥＳになるときには、受信したパケットＣＯＮＮＥＣＴにより最大受信バッファサイズ（最大受信データグラムバッファサイズ）が指定されているかどうかを調べる（処理８０５、判断８０６）。
【０１１２】
最大受信バッファサイズ（最大受信データグラムバッファサイズ）が指定されていない場合で、判断８０６の結果がＮＯになるときには、通常の勧告Ｔ．３８手順の画情報送信動作を行う。
【０１１３】
すなわち、まず、送信する画情報のページを選択する（処理８０７）。この画情報のページ選択は、新たなページの送信時には、直前に送信した次のページを送信ページとして選択し、後述する同一ページ再送時には、直前に送信したと同一ページを送信ページとして選択する。
【０１１４】
次いで、勧告Ｔ．３０に準拠したデータ転送速度で、１ページ分の画情報の送信を終了するまで、画情報の送信を行う（処理８０８、判断８０９のＮＯループ）。
【０１１５】
１ページ分の画情報の送信が終了し、判断８０９の結果がＹＥＳになると、次の送信ページがあるかどうかを調べ（判断８１０）、判断８１０の結果がＹＥＳになるときには、メッセージ後信号として、信号ＭＰＳを送信し（処理８１１）、相手端末より応答信号を受信する（処理８１２）。そのときに受信した応答信号により通信エラーが通知されている場合には（判断８１３の結果がＹＥＳ）、その時点で画情報送信を強制的に終了し（処理８１４）、このときの送信動作をエラー終了する。
【０１１６】
また、応答信号として信号ＭＣＦを受信した場合で正常受信が通知された場合、または、応答信号としてＲＴＮを受信した場合で同一ページの再送が要求された場合で、判断８１３の結果がＮＯになるときには、判断８０６へ戻り、次のページの送信動作、または、同一ページの再送動作を行う。
【０１１７】
また、全ページの送信が終了した場合で、判断８１０の結果がＮＯになるときには、メッセージ後信号として、信号ＥＯＰを送信し（処理８１６）、相手端末より応答信号を受信する（処理８１７）。そのときに受信した応答信号が信号ＲＴＮであり、同一ページの再送が要求されている場合には（判断８１８の結果がＹＥＳ）、判断８０６へ戻り、最終ページの再送動作を行う。
【０１１８】
また、応答信号として信号ＲＴＮ以外を受信した場合であり、正常受信または受信エラーが通知された場合で、判断８１８の結果がＮＯになるときには、所定の通信終了処理を行い（処理８１９）、このときの送信動作を正常終了する。
【０１１９】
一方、最大受信バッファサイズ（最大受信データグラムバッファサイズ）が指定されている場合で、判断８０６の結果がＹＥＳになるときには、可能な速度でバースト転送を行う。
【０１２０】
すなわち、まず、送信する画情報のページを選択する（処理８２０）。この画情報のページ選択は、新たなページの送信時には、直前に送信した次のページを送信ページとして選択し、後述する同一ページ再送時には、直前に送信したと同一ページを送信ページとして選択する。
【０１２１】
次いで、相手端末より通知された最大受信データグラムバッファサイズと、特定値（後述）とを比較して、遅延時間を決定するとともに、フラグのセット／リセットの制御を行い（処理８２１）、インターネットＩＮＥＴで使用可能な最大速度で、画情報をバースト転送モードで送信しながら、１ページ分のデータ転送が終了するか、あるいは、処理８２１で制御するフラグがセットされている場合で送信データ量が特定値（特定サイズ）に達することを監視している（処理８２２，判断８２３，８２４のＮＯループ）。
【０１２２】
１ページ分のデータ転送の途中で、送信データ量が特定値に達し、そのときにフラグがセットされている場合で、判断８２４の結果がＹＥＳになるときには、一旦データ転送を終了し、送信データ量をクリアし（処理８２５）、処理８２１で決定した遅延時間の遅延を実施した後に（処理８２６）、処理８２２へ戻り、残りのデータのデータ転送を行う。
【０１２３】
また、１ページ分の画情報をバースト転送モードで送信終了した場合で、判断８２３の結果がＹＥＳになるときには、判断８１０へ移行し、それ以降の処理を実行する。
【０１２４】
ここで、データ転送速度の変更および設定は、例えば、ＵＤＰパケット間に遅延時間を設けることで行うことができる。
【０１２５】
図１８は、遅延時間の決定処理（処理８２１）の一例を示している。
【０１２６】
まず、相手端末より通知された最大受信データグラムバッファサイズが、特定値よりも大きいかどうかを調べ（判断９０１）、判断９０１の結果がＹＥＳになるときには、フラグをセットするとともに（処理９０２）、最大受信データグラムバッファサイズと特定値との差の値に応じて、図１９に示すテーブルに従って遅延時間を設定する（処理９０３）。
【０１２７】
また、判断９０１の結果がＮＯになる場合には、処理９０２，９０３を行わない。
【０１２８】
ここで、図１９のテーブルでは、最大受信データグラムバッファサイズと特定値とのサイズ差が大きくなるに従って、遅延時間が小さくなるように、サイズ差と遅延時間との関係を設定している。
【０１２９】
このようにして、本実施例では、画情報送信時、相手端末より最大受信バッファサイズ（最大受信データグラムバッファサイズ）が指定されており、その最大受信データグラムバッファサイズと特定値との比較に基づいて、データ転送速度を決定し、その決定したデータ転送速度でバースト転送モードのデータ転送を行うので、送信側、受信側双方に適切なデータ転送速度で、画情報を伝送することができる。
【０１３０】
また、設定するデータ転送速度としては、ネットワーク（インターネットＩＮＥＴ）を使用する際に可能な最大データ転送速度だけではなく、それよりも低速度に設定される場合もあるので、ネットワークを利用する他の通信に与える影響を極力小さくすることもできる。
【０１３１】
さらに、特定値毎の通信の度に、適宜に遅延時間を設けているので、受信側の受信バッファがあふれるような事態を回避することができ、適切なデータ通信を行うことができる。
【０１３２】
図２０は、データ転送速度の決定処理の別な例を示している。
【０１３３】
まず、相手端末より通知された最大受信データグラムバッファサイズが、特定値よりも小さいかどうかを調べ（判断１００１）、判断１００１の結果がＹＥＳになるときには、フラグをセットするとともに（処理１００２）、最大受信データグラムバッファサイズと特定値との差の値に応じて、上述した図９に示すテーブルに従ってデータ転送速度を設定する（処理１００２）。
【０１３４】
また、判断１００１の結果がＮＯになる場合には、データ転送速度として、インターネットＩＮＥＴを利用する際に可能な最大速度を設定し（処理６０４）、この処理を終了する。
【０１３５】
図２１は、遅延時間の決定処理（処理８２１）の他の例を示している。
【０１３６】
まず、相手端末より通知された最大受信データグラムバッファサイズが、特定値よりも小さいかどうかを調べ（判断１１０１）、判断１１０１の結果がＹＥＳになるときには、フラグをセットするとともに（処理１１０２）、最大受信データグラムバッファサイズと特定値との差の値に応じて、図１９に示すテーブルに従って遅延時間を設定する（処理１１０３）。
【０１３７】
また、判断１１０１の結果がＮＯになる場合には、処理１１０２，１１０３を行わない。
【０１３８】
この場合、最大受信データグラムバッファサイズが、特定値よりも小さいかどうかを調べて、データ転送速度および遅延時間を決定しているので、より適切なデータ転送速度および遅延時間を使用することができる。
以上説明した実施形態の装置によれば、画情報送信時、相手端末より最大受信バッファサイズ（最大受信データグラムバッファサイズ）が指定されており、その最大受信データグラムバッファサイズと特定値との比較に基づいて、データ転送速度を決定し、その決定したデータ転送速度でバースト転送モードのデータ転送を行うことにより、送信側、受信側双方に適切なデータ転送速度で、画情報を伝送することができる。
また、設定するデータ転送速度としては、ネットワーク（インターネットＩＮＥＴ）を使用する際に可能な最大データ転送速度だけではなく、それよりも低速度に設定することができるようにすれば、ネットワークを利用する他の通信に与える影響を極力小さくすることもできる。
さらに、特定値毎の通信の度に、適宜に遅延時間を設けるようにすれば、受信側の受信バッファがあふれるような事態を回避することができ、適切なデータ通信を行うことができる。
【０１３９】
【発明の効果】
以上説明したように、本発明によれば、ネットワークを利用する他の通信に与える影響を極力小さくすることができるという効果を得る。
【図面の簡単な説明】
【図１】本発明の一実施例にかかる通信システムの一例を示したブロック図。
【図２】インターネットファクシミリ装置ＦＸ（ＦＸ１，ＦＸ２）の構成例を示したブロック図。
【図３】Ｔ．３８端末装置間のデータ伝送手順の一例を示したタイムチャート。
【図４】ＵＤＰオプション情報の一例を示した概略図。
【図５】インターネットファクシミリ装置ＦＸが他のインターネットファクシミリ装置ＦＸへ、勧告Ｔ．３８手順を用いて画情報を送信する際の処理の一例を示したフローチャート。
【図６】インターネットファクシミリ装置ＦＸが他のインターネットファクシミリ装置ＦＸへ、勧告Ｔ．３８手順を用いて画情報を送信する際の処理の一例を示したフローチャート（続き）。
【図７】データ転送速度の決定処理（処理１２１）の一例を示したフローチャート。
【図８】データ転送速度の決定処理（処理１２１）の他の例を示したフローチャート。
【図９】最大受信データグラムバッファサイズと特定値とのサイズ差に対応して、データ転送速度を決定する際に参照されるテーブルの一例を示した概略図。
【図１０】インターネットファクシミリ装置ＦＸが他のインターネットファクシミリ装置ＦＸへ、勧告Ｔ．３８手順を用いて画情報を送信する際の処理の他の例を示したフローチャート。
【図１１】インターネットファクシミリ装置ＦＸが他のインターネットファクシミリ装置ＦＸへ、勧告Ｔ．３８手順を用いて画情報を送信する際の処理の他の例を示したフローチャート（続き）。
【図１２】データ転送速度の決定処理（処理４２１）の一例を示したフローチャート。
【図１３】データ転送速度の決定処理（処理４２１）の他の例を示したフローチャート。
【図１４】インターネットファクシミリ装置ＦＸが他のインターネットファクシミリ装置ＦＸへ、勧告Ｔ．３８手順を用いて画情報を送信する際の処理のさらに他の例を示したフローチャート。
【図１５】インターネットファクシミリ装置ＦＸが他のインターネットファクシミリ装置ＦＸへ、勧告Ｔ．３８手順を用いて画情報を送信する際の処理のさらに他の例を示したフローチャート（続き）。
【図１６】インターネットファクシミリ装置ＦＸが他のインターネットファクシミリ装置ＦＸへ、勧告Ｔ．３８手順を用いて画情報を送信する際の処理のまたさらに他の例を示したフローチャート。
【図１７】インターネットファクシミリ装置ＦＸが他のインターネットファクシミリ装置ＦＸへ、勧告Ｔ．３８手順を用いて画情報を送信する際の処理のまたさらに他の例を示したフローチャート（続き）。
【図１８】遅延時間の決定処理（処理８２１）の一例を示したフローチャート。
【図１９】最大受信データグラムバッファサイズと特定値とのサイズ差に対応して、遅延時間を決定する際に参照されるテーブルの一例を示した概略図。
【図２０】データ転送速度の決定処理の別な例を示したフローチャート。
【図２１】遅延時間の決定処理（処理８２１）の他の例を示したフローチャート。
【符号の説明】
ＦＸ，ＦＸ１，ＦＸ２  インターネットファクシミリ装置
【図１】
0004585155.tif 000002
【図２】
0004585155.tif 000003
【図３】
0004585155.tif 000004
【図４】
0004585155.tif 000005
【図５】
0004585155.tif 000006
【図６】
0004585155.tif 000007
【図７】
0004585155.tif 000008
【図８】
0004585155.tif 000009
【図９】
0004585155.tif 000010
【図１０】
0004585155.tif 000011
【図１１】
0004585155.tif 000012
【図１２】
0004585155.tif 000013
【図１３】
0004585155.tif 000014
【図１４】
0004585155.tif 000015
【図１５】
0004585155.tif 000016
【図１６】
0004585155.tif 000017
【図１７】
0004585155.tif 000018
【図１８】
0004585155.tif 000019
【図１９】
0004585155.tif 000020
【図２０】
0004585155.tif 000021
【図２１】
0004585155.tif 000022